(57)【特許請求の範囲】
【請求項１】
上竪樋と下竪樋とを接続する筒体を備えた竪樋用継手であって、
前記筒体の内部には、該筒体の内壁面から内方に張り出して該筒体の軸線周りに該筒体の内部断面積を縮小させた開口部を形成するとともに、前記内部を流動する雨水の量に応じて弾性変形し、前記開口部を拡開可能な張出部材が備えられていることを特徴とする竪樋用継手。
【請求項２】
請求項１に記載の竪樋用継手であって、
前記張出部材には、前記開口部の周縁から外方に向かって複数のスリットが形成されていることを特徴とする竪樋用継手。
【請求項３】
請求項１又は２に記載の竪樋用継手であって、
前記筒体は、前記上竪樋及び前記下竪樋の外周面を覆うように配置される外筒部と、前記下竪樋の上端部をその内周面から支持する内筒部と、前記外筒部と前記内筒部とを連結させる段部とを備えていることを特徴とする竪樋用継手。
【請求項４】
請求項１から３のいずれか一項に記載の竪樋用継手であって、
前記張出部材は、前記段部上に形成されていることを特徴とする竪樋用継手。
【請求項５】
屋根の軒先から流れ落ちる雨水を受ける軒樋と、前記軒樋に取り付けられた集水器と、建物の外壁に沿って軸線を上下方向に向けて配設された竪樋と、地中に埋設された排水管と、を備えた雨樋構造であって、
前記竪樋は、互いに同形状かつ同寸法の上竪樋と下竪樋とを備え、
前記上竪樋と前記下竪樋とがそれぞれの軸線を合わせて上下方向に配置されて請求項１から４のいずれかに記載の竪樋用継手によって接続されていることを特徴とする雨樋構造。  
【発明の詳細な説明】
【技術分野】
【０００１】
本発明は、竪樋の接続に用いられる竪樋用継手及びそれを用いた雨樋構造に関する。
【背景技術】
【０００２】
一般に、住宅などには、屋根から流れ落ちる雨水を受ける軒樋と、軒樋に繋げられ、軒樋に集められた雨水を排水管などに導くための竪樋とを備えた雨樋装置が設置されている。
この雨樋は、住宅などの外観を損なうことなく単位時間当たりの排水量を増加させて、大雨時でも好適に雨水を排水管などに排出できるようにすることが求められており、従来より、その手段として、例えば下記特許文献１に記載された雨樋の構造による排水手段が知られている。
【０００３】
特許文献１に記載の竪樋は、上竪樋と下竪樋とを接続する継手部材の内部に、該継手部材の内周径を漸次縮径させるテーパ部と該テーパ部に連設する小径の筒状部とを備えている。
上記竪樋の継手部材によれば、該継手部材の内周径が漸次縮径しているため、大雨時に、上竪樋に大量に流れ込む雨水が継手部材及び上竪樋内に滞留して筒状部を塞ぐ気液の界面が形成され、当該界面上の表面張力が雨水を支持して上竪樋内の水位を一時的に高める。しかし、その後、上竪樋から更に流入する雨水の圧力によって前記界面が崩壊し、高い水圧の雨水が気体で満たされた低圧の下竪樋内に向かって高速で流れ込む。そして、下竪樋に流下した雨水により気体が排出されて下竪樋内が負圧となる。したがって、下竪樋内が負圧になることによって上竪樋内の雨水が引き込まれ、これにより効率良く排水が行われ得る構成となっている。
【先行技術文献】
【特許文献】
【０００４】
【特許文献１】実開昭６３−２０００２８号公報
【発明の概要】
【発明が解決しようとする課題】
【０００５】
ところで、上記継手部材において、前記気液の界面を発生させ易くし、かつ当該界面上の表面張力を強くして上竪樋内に滞留させる雨水の水位を高めるためには、筒状部の径を小さくして表面張力の曲率半径を小さくすることが有効となる。
【０００６】
しかしながら、筒状部の内径を小さくすると、雨水の流下時の圧力損失が増加して水流が失速するとともに流下する水量が減少するため、雨水の引き込み力が低下してしまうという不都合が発生する。一方、前記圧力損失を抑えるために筒状部の内径を大きくすれば、気液界面上の表面張力が失われてしまうという不都合が発生する。したがって、上記従来の継手部材では、上竪樋内に雨水を十分に滞留させるとともに、雨水を流下させる際の圧力損失を抑え、かつ雨水の流下水量を十分とするということが困難であるという問題があった。
【０００７】
また、継手部材の構成が複雑であるため、該継手部材の作製のためにコストが嵩むという問題があった。
【課題を解決するための手段】
【０００８】
請求項１の発明は、上竪樋と下竪樋とを接続する筒体を備えた竪樋用継手であって、
前記筒体の内部には、該筒体の内壁面から内方に張り出して該筒体の軸線周りに該筒体の内部断面積を縮小させた開口部を形成するとともに、前記内部を流動する雨水の量に応じて弾性変形し、前記開口部を拡開可能な張出部材が備えられていることを特徴とする。
【０００９】
請求項２の発明は、前記張出部材には、前記開口部の周縁から外方に向かって複数のスリットが形成されていることを特徴とする。
請求項３の発明は、請求項１又は２に記載の竪樋用継手であって、前記筒体は、前記上竪樋及び前記下竪樋の外周面を覆うように配置される外筒部と、前記下竪樋の上端部をその内周面から支持する内筒部と、前記外筒部と前記内筒部とを連結させる段部とを備えていることを特徴とする。
請求項４の発明は、請求項１から３のいずれか一項に記載の竪樋用継手であって、前記張出部材は、前記段部上に形成されていることを特徴とする。
請求項５の発明は、屋根の軒先から流れ落ちる雨水を受ける軒樋と、前記軒樋に取り付けられた集水器と、建物の外壁に沿って軸線を上下方向に向けて配設された竪樋と、地中に埋設された排水管と、を備えた雨樋構造であって、前記竪樋は、互いに同形状かつ同寸法の上竪樋と下竪樋とを備え、前記上竪樋と前記下竪樋とがそれぞれの軸線を合わせて上下方向に配置されて請求項１から４のいずれかに記載の竪樋用継手によって接続されていることを特徴とする。
【発明の効果】
【００１０】
本発明の係る竪樋用継手によれば、上記した解決手段によって以下の効果を奏する。
すなわち、請求項１に係る竪樋用継手によれば、張出部材の開口部の開口面積が小さく形成されていたとしても、上竪樋に滞留した雨水の量に応じて弾性変形して開口部を拡開させ得る。したがって、開口部の開口面積を小さく形成し上竪樋内に滞留させる雨量を十分に保持させて上竪樋の水圧と下竪樋内の圧との高低差を高くし得るとともに、雨水の流下時には開口部を拡開させて、雨水の流下の際の圧力損失を低減させることができる。そのため、滞留した雨水を極力高速で流下させ得るとともに、流下する水量を大きくすることができ、上竪樋の雨水の引き込み力を強力にして雨樋内の雨水を効率的に排水することができるという効果を奏する。
また、継手全体の構成がシンプルであるため、該継手を安価に提供することができるという効果を奏する。
【００１１】
請求項２に係る竪樋用継手によれば、張出部材に開口部の周縁から外方に向かって複数のスリットが形成されているため、張出部材の開口部を大きく拡開させやすくなる。したがって、開口部が弾性変形していないときと弾性変形しているときとの開口差を大きくして、雨水の滞留を大きくするとともに雨水が開口部から流下する際の圧力損失の低減をより効果的に図ることができ、上竪樋内の雨水の引き込み力を一層強力にすることができるという効果を奏する。
【図面の簡単な説明】
【００１２】
【図１】は、本発明の第１の実施形態として示した竪樋用継手を用いた雨樋の構造を示した側面図である。
【図２】は、本発明の第１の実施形態として示した竪樋用継手が竪樋に接続された状態を示した斜視図である。
【図３】は、本発明の第１の実施形態として示した竪樋用継手が竪樋に接続された状態を示した断面図であり、（ａ）は、張出部材の通常時の状態を示す図であり、（ｂ）は張出部材が弾性変形した状態を示した図である。
【図４】は、本発明の第１の実施形態として示した竪樋用継手を示した斜視図である。
【図５】は、本発明の第２の実施形態として示した竪樋用継手を示した斜視図である。
【図６】は、本発明の第２の実施形態として示した竪樋用継手の変形例を示した図である。
【発明を実施するための形態】
【００１３】
以下、図を参照して本発明の実施形態について説明する。
図１は、本発明の第１の実施形態として示した竪樋用継手１Ａを用いて構成される雨樋構造Ｔを示したものである。
【００１４】
図１に示すように、雨樋構造Ｔは、屋根４の軒先４ａから流れ落ちる雨水を受ける軒樋５と、軒樋５に取り付けられた集水器６と、建物の外壁３に沿って軸線Ｌを上下方向に向けて配設された竪樋２と、竪樋２の上端部２ｙと集水器６を繋ぐ呼び樋７と、地中に埋設された排水管８に取り付けられ、竪樋２の下端部２ｚ側を上下方向に摺動可能に支持し、竪樋２を排水管８に接続しつつ竪樋２の熱膨縮などによる変位・変形を吸収するための筒状の排水管カバー９とを備えて構成されている。そして、この雨樋構造Ｔは、降雨時に屋根４から流れ落ちて軒樋５に集められた雨水を、集水器６から呼び樋７、呼び樋７から竪樋２に導き、竪樋２の内部を流下させて排水管８に排出させている。
【００１５】
図２に示すように、竪樋２は、互いに同形状かつ同寸法の上竪樋２ａと下竪樋２ｂとが軸線Ｌ１、Ｌ２を合わせて上下方向に配置され、竪樋用継手１Ａによって接続されたものである。
【００１６】
これら上竪樋２ａ及び下竪樋２ｂは、四隅が内側に向けて弧状に凹んだ平面視略正方形状の中空の筒状体であり、内部空間が雨水の流路９となっている。
【００１７】
竪樋用継手１Ａは、上竪樋２ａと下竪樋２ｂとを接続するとともに、サイフォン現象を発生させる部材であり、上竪樋２ａと下竪樋２ｂとを接続する筒体１０と、該筒体１０の内壁面から内方に張り出して竪樋２の流路９の面積を縮小させ、サイフォン現象を発生させる張出部材１２とを備えている。
【００１８】
図２及び図３（ａ）に示すように、筒体１０は、上竪樋２ａ及び下竪樋２ｂの外周面を覆うように配置される外筒部１１Ａと、下竪樋２ｂの上端部４０をその内周面から支持する内筒部１１Ｂと、外筒部１１Ａと内筒部１１Ｂとを連結させる段部１３（図３（ａ）に図示）とを備えている。
この筒体１０は、例えばポリ塩化ビニル、ポリカーボネート、ポリオレフィンなどの熱可塑性合成樹脂を用い、押出成形や射出成形によって形成されている。
【００１９】
外筒部１１Ａは、上竪樋２ａ及び下竪樋２ｂと同形状でこれら上下竪樋２ａ、２ｂよりもやや大寸法に形成された筒状体であり、内側に上竪樋２ａ及び下竪樋２ｂを挿入させてこれら上竪樋２ａ及び下竪樋２ｂの外周面を密着して被覆するように形成されている。
【００２０】
内筒部１１Ｂは、上竪樋２ａ及び下竪樋２ｂと同形状でこれら上下竪樋２ａ、２ｂよりもやや小寸法に形成された筒状体であり、下竪樋２ｂの厚さ寸法ｍ分の間を隔てて外筒部１１Ａの内側に設けられている。
内筒部１１Ｂの上端には、外筒部１１Ａの内壁面１０ａの上下方向中間部に向かって折曲し、かつ該内壁面１０ａと連結しており、張出部材１２を配置可能な段部１３が形成されている。
【００２１】
上記の外筒部１１Ａと内筒部１１Ｂとの間に形成される溝１４は、下竪樋２ｂの上端部４０を嵌着させて竪樋用継手１Ａと下竪樋２ｂとを連結する部分となっている。
【００２２】
図４に示すように、張出部材１２は、外筒部１１Ａの断面形状と同形状に形成された板状の部材であり、竪樋用継手１Ａの軸線Ｌ周りに位置する板面１２ａの中央部に、外筒部１１Ａの内部の断面積、すなわち流路９を縮小させて雨水を通過させる開口部１５を有している。この張出部材１２の開口部１５周辺の壁部１６は、図３（ｂ）に示すように、その板面１２ａに対してかかる外力、すなわち雨水Ｗの水圧により弾性変形し、開口部１５を拡開させ得るようになっている。開口部１５の直径は、例えば、上下竪樋の外径が６０ｍｍ、内径が５７〜５８ｍｍの場合、張出部材１２が弾性変形していない通常時には、４０ｍｍ〜５０ｍｍとなっている。なお、異なる外径等を有する上下竪樋２ａ，２ｂの場合、張出部材１２の開口径の比率は、上記と同様である。
この張出部材１２は、段部１３上に配置され、上竪樋２ａの下端部３０と段部１３とに挟持されるようになっている。
【００２３】
張出部材１２には、エラストマー等の伸縮自在、かつ弾性変形及び弾性復帰可能な材質の樹脂を用いることができる。
【００２４】
上記の構成の下に、竪樋用継手１Ａは、図３（ａ）に示すように、段部１３上に張出部材１２を配置した状態で、下端部３０の外周面３０ａに接着剤を塗布した上竪樋２ａを上方に嵌着させ、また、上端部４０の外周面４０ａ及び内周面４０ｂに接着剤を塗布した下竪樋２ｂを溝１４に嵌着させて上竪樋２ａ及び下竪樋２ｂを接続している。
このようにして形成された竪樋２は、図１に示すように、上端側が呼び樋７と接続され、下端側が排水管８に接続されて、雨樋構造Ｔを構成している。
【００２５】
次に、竪樋用継手１Ａにより接続された上下竪樋２に雨水Ｗが流下する際の作用について説明する。
【００２６】
雨天時、降水量が少ないときは、軒樋５、呼び樋７を経由して流下した雨水Ｗは、通常どおり重力に従って上竪樋２、竪樋用継手１Ａ、及び下竪樋２ｂの内壁面を伝って排水管８へ流下する。
【００２７】
しかし、降水量が多いときには、図３（ａ）に示すように、上竪樋２ａ内に大量に流れ込んだ雨水Ｗが、流路９の断面積を小さくしている張出部材１２により乱流を起こし、張出部材１２の上方の上竪樋２ａ内に滞留する。この際、張出部材１２の開口部１５に気液の界面Ｋが形成され、該界面Ｋ上の表面張力によって雨水Ｗが支持され上竪樋２ａ内の水位を更に高める。
【００２８】
しかし、その後、更に雨水Ｗの水位が高くなって、滞留している該雨水Ｗの圧力が高くなり、かつ、図３（ｂ）に示すように、該圧力により張出部材１２の開口部１５周辺の壁部１６が下方に向かって弾性変形し開口部１５を拡開させると、界面Ｋの表面張力が低下して、滞留した雨水Ｗの圧力が表面張力の閾値を超えて界面Ｋが崩壊し、高い水圧の大量の雨水Ｗが気体で略満たされた低圧の下竪樋２ｂ内に向かって重力による流速よりも高速で勢いよく流れ込む。
【００２９】
更に、この際流下する大量の雨水Ｗは、張出部材１２の下方の気体を巻き込んで図１に示す排水口８に向かって流れるため、下竪樋２ｂ内を減圧させることができ、上竪樋２ａ内の雨水Ｗを引き込む吸引力を発生させる。
また、雨水Ｗの流れに伴って矢印Ｓで示す気流も発生し、ベンチュリ効果により、張出部材１２の下方及び下竪樋２ｂ内が更に低圧となり、更に上竪樋２ａ内の雨水Ｗの流速を促進させる。
【００３０】
このようにして、上竪樋２ａ内に滞留した雨水Ｗが、重力よりも高速で大量に流下すること、及び下竪樋２ｂ内に発生する吸引力により、軒樋５及び上竪樋２ａ内を流れる雨水Ｗを強力に引き込むため、効率的に雨水Ｗが排水管８に強制的に流される。
【００３１】
滞留した雨水Ｗが排水管８内に流されて張出部材１２の上方の水量が減少すると、図３（ａ）に示すように、張出部材１２は弾性復帰し、再び張出部材１２上部の雨水Ｗに乱流を起こさせて雨水Ｗの滞留を発生させ、上述した作用が繰り返されることとなる。
【００３２】
以上のように、竪樋用継手１Ａによれば、張出部材１２の開口部１５が小径に形成されたとしても、上竪樋２ａに滞留した雨水Ｗの量に応じて張出部材１２の開口部１５周辺の壁部１６を弾性変形させて開口部１５を拡開させ得るため、雨水Ｗの流下時の水流の圧力損失を抑制させることができる。そのため、張出部材１２の開口部１５を小径に形成して張出部材１２の上方に滞留させる雨量を十分に保持させ、上竪樋２ａの水圧と下竪樋２ｂ内の圧との差を大きくすることができ、滞留した雨水Ｗの流下時に重力以上の力で雨水Ｗを流下させることによって、上竪樋２ａ及び軒樋５内の水を強力に引き込んで、排水効率を高められるという効果が得られる。
【００３３】
また、張出部材１２の開口部１５の拡開により、雨水Ｗの流下時の圧力損失を低減させることができるので、滞留した雨水Ｗの流速低下を抑制できるとともに、流下する水量を大きくすることができ、その結果、上竪樋２ａの雨水Ｗの引き込み力を保持したまま軒樋５および上竪樋２ａ内の雨水Ｗの排水効率を高めることが可能となるという効果が得られる。
【００３４】
更に、滞留した大量の雨水Ｗが下竪樋２ｂ内の気体を巻き込んで排水管８に流れるため下竪樋２ｂ内が減圧され、該下竪樋２ｂ内に吸引力を発生させるため、上竪樋２ａ内の雨水Ｗを一層強力に引き込むことができるという効果が得られる。
また更に、張出部材１２の開口部１５を小さくすることで上竪樋２ａ内に大量の雨水Ｗを保持させることができるので、下竪樋２ｂ内の気体が排出されて吸引力を発生させた状態を維持し、雨水Ｗの吸引効果をより長く保って、上竪樋２ａ及び軒樋５内の雨水Ｗの効率的な排水を持続することができるという効果が得られる。
【００３５】
また、張出部材１２の下方に開口部１５の開口面積よりも大きい断面積を有する空間が形成されていることにより、滞留した雨水Ｗが高速に流下することによって図３（ｂ）に示すように、矢印Ｓで示す気流が発生し、ベンチュリ効果を生じさせて張出部材１２の下方を低圧にし、雨水Ｗの流速を更に高めることができるという効果が得られる。
【００３６】
また、竪樋用継手１Ａの構成がシンプルであるため、排水効率の良い竪樋２を安価に提供することが可能となるという効果が得られる。
【００３７】
次に、本発明の第２の実施形態について図５を用いて説明する。本実施形態において上記第１の実施形態の竪樋用継手１Ａと同一の構成については同一の符号を付し、その説明を省略する。
【００３８】
図５に示すように、第２の実施形態に示す竪樋用継手１Ｂは、張出部材１２の開口部１５の周縁１５ａから外方に向かって該開口部１５の周辺の壁部１６を等分するように複数のスリット２０、２０・・が形成されている。
各スリット２０の外方側の端部には、張出部材１２の厚さ方向に貫通する小径の貫通孔２１が形成されており、スリット２０、２０・・間の壁部１６、１６・・が弾性変形して下方に折曲した際に、その弾性変形によりスリット２０の外方の端部周辺の壁部１６に応力が集中して、該壁部１６が破断しないようになっている。
【００３９】
該張出部材１２の材質として、該張出部材１２がスリット２０を有して開口部１５を拡開させやすくなっているため、ゴム、エラストマーの他、張出部材１２の厚み寸法を小さくすることにより弾性変形可能なポリエチレン、ポリプロピレンその他の合成樹脂等を用いることができる。
また本実施形態において、例えば、上下竪樋の外径６０mm、内径５７〜５８ｍｍの竪樋の場合、スリット長は、例えば２ｍｍ〜５ｍｍとされており、弾性変形をしていない通常時には、張出部材１２の開口部１５の直径は４０ｍｍ〜５０ｍｍとなっている。なお、異なる外径等を有する上下竪樋２ａ，２ｂの場合、張出部材１２の開口径の比率は上記と同様である。
【００４０】
本実施形態による竪樋用継手１Ｂによれば、上記第１の実施形態において示した竪樋用継手１Ａと同様の効果を奏するのに加え、スリット２０、２０・・によって、開口部１５周辺の壁部１６を下方に弾性変形させ易くし、かつ壁部１６、１６・・が下方に向けて弾性変形した際に開口部１５をより大きく拡開させて不拡開時と拡開時の開口差を大きくできるため、上竪樋２ａに雨水Ｗをより多く滞留させやすくするとともに、水流の圧力損失をより効果的に抑制して滞留した雨水Ｗを強力に流下させ、上竪樋２ａ及び軒樋５内の雨水Ｗを引き込んで効率的に排水することが可能となるという効果が得られる。
【００４１】
なお、本実施形態において、スリット２０は、張出部材１２の開口部１５周辺の壁部１６を８等分するように形成されているが、スリット２０の数量は、張出部材１２の弾性変形及び弾性復帰力を考慮して、適宜増減すればよい。
【００４２】
以上、第１及び第２の実施形態において、本発明が適用された竪樋用継手１Ａ、１Ｂを示したが、本発明は上記実施形態に示したものに限定されるものではなく、その技術的意義を逸脱しない限りにおいて適宜変更することが可能である。
【００４３】
例えば、上記第１及び第２の実施形態において、張出部材１２は、段部１３と上竪樋２ａとに挟持された構成とされているが、竪樋用継手を構成する筒体１０の内部に嵌着して固定できる構成であればよく、段部１３と上竪樋２ａとに挟持される構成に限定されない。
【００４４】
また、竪樋用継手は、必ずしも外筒部１１Ａ及び内筒部１１Ｂを備えたものである必要はなく、上竪樋２ａ及び下竪樋２ｂに内嵌される態様の筒体１０の内壁面１０ａに、張出部材１２が固定されるものであってもよい。要は、上竪樋２ａと下竪樋２ｂとを接続できる筒体１０の内部に、雨水Ｗの水圧に応じて弾性変形し開口部１５を拡開させ得る張出部材１２が嵌着できるものであればよい。
【００４５】
また、上記第１及び第２の実施形態において、竪樋用継手１Ａ、１Ｂは、四隅が内側に向けて弧状に凹んだ平面視略正方形状に形成された上竪樋２ａ及び下竪樋２ｂに適用できるものに形成されているが、本発明の竪樋用継手は、図６に示すように、上竪樋２ａ及び下竪樋２ｂが円筒形に形成されたもの、又は不図示の四角形以外の多角形に形成されたものにも適用することができるものであり、かかる場合にも上述した竪樋用継手１Ａ、１Ｂと同様の効果を奏する。
【００４６】
また更に、上述した竪樋用継手１Ａ、１Ｂの張出部材１２の開口部１５は円形に形成されているが、これに限定されるものではなく、四角形その他の多角形に形成されたものであってもよく、かかる場合にも上述した竪樋用継手１Ａ、１Ｂと同様の効果を奏し得る。
【符号の説明】
【００４７】
１Ａ、１Ｂ  竪樋用継手
２ａ    上竪樋
２ｂ    下竪樋
１０    筒体
１２    張出部材
１５    開口部
１５ａ  開口部の周縁
２０    スリット
Ｌ１、Ｌ２  軸線
Ｗ      雨水
【図１】
0005735808.tif 000002
【図２】
0005735808.tif 000003
【図３】
0005735808.tif 000004
【図４】
0005735808.tif 000005
【図５】
0005735808.tif 000006
【図６】
0005735808.tif 000007